(57)【要約】【課題】原稿画像を印刷画像として出力する際に、印刷画像上で干渉縞の発生を回避し、かつ粒状性の低減を図る。【解決手段】原稿画像２２を主要色ＣＭＹＫと補助色ＲＧＢに分け、主要色ＣＭＹＫについてはＡＭスクリーン部３２により網点カラー画像データＣＭＹＫを作成し、補助色ＲＧＢについてはＦＭスクリーン部３４によりＦＭスクリーンカラー画像データＲＧＢを作成する。重ね合わせ部３６で、網点カラー画像データＣＭＹＫで表される網点画像と、ＦＭスクリーンカラー画像データＲＧＢで表されるＦＭ画像とを重ね合わせる。【選択図】図４
2004058390.tif 000002
【特許請求の範囲】
【請求項１】
それぞれ階調数ｍ値を採る少なくとも５つの分版画像（分版数をｐとする。ｐ≧５）で構成されるカラー画像を、それぞれｎ値（ｍ，ｎは、ｍ＞ｎ＞１を満たす自然数）を採る分版画像（分版数はｐである。）で表現し、前記ｎ値の分版画像を重ねて媒体上に前記カラー画像を再現する方法において、
前記ｍ値を採る分版画像中、分版数ｐより少ない数（ｑとする。ｐ＞ｑ≧１）の分版画像を、周期成分を有する第１の階調再現方式を用いてｎ値の分版画像にする過程と、
前記ｍ値を採る分版画像中、分版数ｐ−ｑの残りの分版画像を、周期成分を有しない第２の階調再現方式を用いてｎ値の分版画像にする過程と、
前記第１および第２の階調再現方式を用いて得られた分版数ｐのｎ値の分版画像を重ねて前記媒体上に前記カラー画像を再現する過程と
を有することを特徴とするカラー画像再現方法。
【請求項２】
請求項１記載のカラー画像再現方法において、
前記ｍ値を採る分版画像中、主要色の分版画像は前記第１の階調再現方式を用い、補助色の分版画像は前記第２の階調再現方式を用いる
ことを特徴とするカラー画像再現方法。
【請求項３】
請求項２記載のカラー画像再現方法において、
前記主要色は、Ｃ，Ｍ，Ｙ，Ｋである
ことを特徴とするカラー画像再現方法。
【請求項４】
コンピュータを、
それぞれ階調数ｍ値を採る少なくとも５つの分版画像（分版数をｐとする。ｐ≧５）中、分版数ｐより少ない数（ｑとする。ｐ＞ｑ≧１）の分版画像を、周期成分を有する第１の階調再現方式を用いてｎ値の分版画像にする手段と、
前記ｍ値を採る分版画像中、分版数ｐ−ｑの残りの分版画像を、周期成分を有しない第２の階調再現方式を用いてｎ値の分版画像にする手段と、
前記第１および第２の階調再現方式を用いて得られた分版数ｐのｎ値の分版画像を重ねて媒体上にカラー画像を再現する手段と
して機能させるためのプログラム。
【請求項５】
それぞれ階調数ｍ値を採る少なくとも５つの分版画像（分版数をｐとする。ｐ≧５）で構成されるカラー画像を、それぞれｎ値（ｍ，ｎは、ｍ＞ｎ＞１を満たす自然数）を採る分版画像（分版数はｐである。）で表現し、前記ｎ値の分版画像を重ねて媒体上に前記カラー画像を再現する装置において、
前記ｍ値を採る分版画像中、分版数ｐより少ない数（ｑとする。ｐ＞ｑ≧１）の分版画像を、周期成分を有する第１の階調再現方式を用いてｎ値の分版画像にする手段と、
前記ｍ値を採る分版画像中、分版数ｐ−ｑの残りの分版画像を、周期成分を有しない第２の階調再現方式を用いてｎ値の分版画像にする手段と、
前記第１および第２の階調再現方式を用いて得られた分版数ｐのｎ値の分版画像を重ねて前記媒体上に前記カラー画像を再現する手段と
を有することを特徴とするカラー画像再現装置。
【発明の詳細な説明】
【０００１】
【発明の属する技術分野】
この発明は、複数の分版画像（色分版画像ということもある。）を重ねて紙あるいはスクリーン等の媒体上にカラー画像を再現するカラー画像の再現方法に関し、オフセット印刷、インクジェット方式カラープリンタ、あるいは電子写真方式カラープリンタに適用して好適なカラー画像の再現方法およびその装置並びにプログラムに関する。
【０００２】
【従来の技術】
従来から、Ｃ（シアン）、Ｍ（マゼンタ）、Ｙ（黄）、Ｋ（墨）の各分版画像を重ねて媒体上にカラー画像を再現することが、オフセット印刷、電子写真方式のカラープリンタ、あるいはインクジェット方式のカラープリンタで一般的に行われている。
【０００３】
一般に、前記のＣＭＹＫの各分版画像は、それぞれ画像に周期成分を有する第１の階調再現方式を用いて画像の階調を再現している。画像に周期成分を有する第１の階調再現方式とは、たとえば、直交あるいは斜交する網点セルが規則的に並んだその網点セルを構成する網点の大きさで画像の階調を再現する方式をいう。なお、この画像に周期成分を有する第１の階調再現方式には、直交あるいは斜交する線（万線という。）の線幅を変えることで画像の階調を再現する方式も含まれる。
【０００４】
このように、網点の大きさで画像の階調を再現する方式および線幅を変えることで画像の階調を再現する方式を網点方式の階調再現方式というが、この明細書では第１の階調再現方式という。なお、この第１の階調再現方式は、ＡＭスクリーンと呼ばれている。
【０００５】
４色であるＣＭＹＫの分版画像は、各分版画像毎に異なる網点角度を有し、ＣＭＹＫの分版画像を重ねる場合には、網点または線が幾何学的に規則正しく分布したものを重ね合わせることによって生じる干渉縞の発生を抑制するためにロゼッタパターン（画像）を発生するように各分版の網点角度を決めればよいという重ね合わせの際の指針が存在する。
【０００６】
しかし、４分版画像を超える５分版画像を重ねて画像を再現しようとする場合には、各分版画像の網点角度をどのように割り当てれば、干渉縞が発生しないか、あるいは干渉縞が発生し難いかという重ね合わせの際の指針はない。
【０００７】
その一方、たとえばインクジェット方式カラープリンタでは、ＣＭＹＫ＋ライトシアンＬＣ＋ライトマゼンタＣＭあるいはさらに薄墨ＬＫのインクを用いて６分版画像あるいは７分版画像で画像を再現する方式が実用化されている。このインクジェット方式カラープリンタでは、画像に周期成分を有しない第２の階調再現方式を用いて階調を再現している。
【０００８】
画像に周期成分を有しない第２の階調再現方式とは、規則性を持たない原則として同一サイズの画素の密度で階調を再現する方式をいう。この第２の階調再現方式では、誤差拡散法やランダムパターンを閾値で保持する方法が用いられ、ＦＭスクリーンと呼ばれている。
【０００９】
このＦＭスクリーンでは、分版画像を重ねることによって干渉縞が発生することはないが、分版画像上に配置される画素のランダム性に由来する粒状性が知覚されて高品質な画像を得られない場合がある。
【００１０】
【発明が解決しようとする課題】
この発明はこのような課題を考慮してなされたものであり、５つ以上の分版画像を重ねて媒体上にカラー画像を再現した場合に、媒体上に再現されたカラー画像上に発生する干渉縞あるいは粒状性を抑制することを可能とするカラー画像再現方法およびその装置並びにそのプログラムを提供することを目的とする。
【００１１】
【課題を解決するための手段】
この発明のカラー画像再現方法は、それぞれ階調数ｍ値を採る少なくとも５つの分版画像（分版数をｐとする。ｐ≧５）で構成されるカラー画像を、それぞれｎ値（ｍ，ｎは、ｍ＞ｎ＞１を満たす自然数）を採る分版画像（分版数はｐである。）で表現し、前記ｎ値の分版画像を重ねて媒体上に前記カラー画像を再現する方法において、前記ｍ値を採る分版画像中、分版数ｐより少ない数（ｑとする。ｐ＞ｑ≧１）の分版画像を、周期成分を有する第１の階調再現方式を用いてｎ値の分版画像にする過程と、前記ｍ値を採る分版画像中、分版数ｐ−ｑの残りの分版画像を、周期成分を有しない第２の階調再現方式を用いてｎ値の分版画像にする過程と、前記第１および第２の階調再現方式を用いて得られた分版数ｐのｎ値の分版画像を重ねて前記媒体上に前記カラー画像を再現する過程とを有することを特徴とする。
【００１２】
この発明によれば、ｍ値の分版数ｐの分版画像中、いくつかを周期成分を有する第１の階調再現方式を用いてｎ値の分版画像にし、残りの分版画像を、周期成分を有しない第２の階調再現方式を用いてｎ値の分版画像にし、前記第１および第２の階調再現方式を用いて得られたｎ値の分版数ｐの分版画像を重ねて前記媒体上に前記カラー画像を再現するようにしたので、再現されたカラー画像上に発生する干渉縞あるいは粒状性を抑制することができる。
【００１３】
この場合、前記ｍ値を採る分版画像中、主要色の分版画像は前記第１の階調再現方式を用い、補助色の分版画像は前記第２の階調再現方式を用いることで、再現されたカラー画像上に発生する干渉縞あるいは粒状性を抑制することができる。
【００１４】
ここで、前記主要色は、Ｃ，Ｍ，Ｙ，Ｋとすることで、この４分版画像に関しては、干渉縞を最小に抑制でき、これ以外の補助色として、たとえば、Ｒ（赤）、Ｇ（緑）、Ｂ（青）、ピンク、ＬＣ、ＬＭ、ＬＫの分版画像の中の１色あるいは複数色を用いることで、粒状性を抑制する。
【００１５】
これらの発明は、プログラムとして提供することが可能であり、また、カラー画像再現装置に適用することが可能である。
【００１６】
【発明の実施の形態】
以下、この発明の実施の形態について図面を参照して説明する。なお、この発明の実施の形態においては、各分版画像の階調数ｎ値が、ｎ＝２（値０または値１を採る２値）である場合を例として説明する。
【００１７】
より高画質を目指した印刷方法では、色再現域を広げ色を鮮やかにするために、ＣＭＹＫの４色にＲ，Ｇ，Ｂの３色を加えた７色で印刷を行う方式が知られている。
【００１８】
この場合、通常のＣＭＹＫの４色印刷では、ＣＭＫの３つの分版画像は、互いに略３０度離れた網点角度に設定し、比較的色が目立ちにくいＹの分版画像は、ＣＭＫの３つの分版画像の中、２つの分版画像の間に１５度の角度をなすように設定されている。これらの設定は、干渉縞が生じにくくなるように、各分版画像（網版）のなす角度をなるべく広くとろうとしているためである。
【００１９】
たとえば、網点角度の組合せ（Ｃ（度），Ｍ（度），Ｙ（度），Ｋ（度））は、（Ｃ，Ｍ，Ｙ，Ｋ）＝（１５，４５，０，７５）、（１５，７５，０，４５）、（７５，１５，６０，４５）、（７５，１５，３０，４５）あるいは（２２．５，５２．５，７．５，８２．５）などが使用される。
【００２０】
ＣＭＹＫの４色にＲＧＢの３色を加えた７色印刷では、網点角度の組合せ（Ｃ，Ｍ，Ｙ，Ｋ，Ｒ，Ｇ，Ｂ）として、ＲＧＢの３つの分版画像の網点角度をＣＭＹの３つの分版画像の網点角度と同じ角度にした網点角度の組合せ（Ｃ，Ｍ，Ｙ，Ｋ，Ｒ，Ｇ，Ｂ）＝（１５，４５，０，７５，１５，４５，０）あるいはＲＧＢの３つの分版画像の網点角度をＣＭＫの３つの分版画像の網点角度の間の角度にした網点角度の組合せ（Ｃ，Ｍ，Ｙ，Ｋ，Ｒ，Ｇ，Ｂ）＝（１５，４５，０，７５，２２．５，５２．５，８２．５）が考えられる。
【００２１】
しかしながら、図１のＡＭスクリーン方式での重ね合わせパターン（画像）１２に示すように、αの分版画像（αは、ＲＧＢ等のＣＭＹＫ以外の色）とＣＭＫの３つの分版画像の合計４つの分版画像の網点角度の組合せ（Ｃ，Ｍ，Ｋ，α）＝（１５，４５，７５，２２．５）でさえ、ロゼッタパターンの他に重ね合わせによる干渉縞が見える場合があるということがわかった。
【００２２】
なお、図２は、図１のロゼッタパターン（画像）のみが見える網点角度の組合せ（Ｃ，Ｍ，Ｋ）＝（１５，４５，７５）のＣＭＫの３つの分版画像、すなわち、図１の重ね合わせパターン（画像）からαの分版画像を除いた画像の重ね合わせパターン（画像）１４を示している。
【００２３】
図３は、ＦＭスクリーン方式でのＣＭＫの３つの分版画像とそれらの重ね合わせパターン（画像）１６を示している。重ね合わせパターン（画像）１６上では、重ね合わせを原因とする干渉縞の問題はないが、画素が小さいため、ＡＭスクリーン方式での網点と比較して、印刷等の安定性に欠けると考えられる。また、重ね合わせパターン（画像）１６が有する粒状性が画像品質上好ましくない。
【００２４】
図４は、この実施の形態のカラー画像再現装置２０の構成を示している。このカラー画像再現装置２０は、基本的に、原稿画像２２を読み取るスキャナ２４と、色分解部２８と、主要色補助色指定部３０と、ＡＭスクリーン部３２と、ＦＭスクリーン部３４と、印刷画像３８を出力したりＣＲＴ等の表示装置４０に対して表示画像４２を出力する重ね合わせ部（出力部）３６とから構成されている。
【００２５】
この場合、スキャナ２４、色分解部２８、ＡＭスクリーン部３２、ＦＭスクリーン部３４および重ね合わせ部３６は、それぞれプログラムを実行するコンピュータを含んで構成されている。
【００２６】
スキャナ２４は、連続的に濃度が変化するグレースケールの原稿画像２２を読み取りＲ色、Ｇ色、Ｂ色のデジタルデータである各連続調の階調数ｍ（ｍは、この実施の形態では、例として値０，１，…２５５の８ビットを採る。）値のカラー画像データＲＧＢを出力する。
【００２７】
色分解部２８は、スキャナ２４からのカラー画像データＲＧＢあるいは図示していないデジタルカメラ等に接続される外部入力端子２６からのカラー画像データＲＧＢを、主要色補助色指定部３０からの主要色と補助色の指定に基づき、それぞれ階調数ｎ＝２の印刷用の７色の各カラー画像データＣＭＹＫＲＧＢに変換する。
【００２８】
なお、主要色とは、印刷画像３８上で主な色再現を実現する色であり、補助色とは、印刷画像３８上での色再現を高めるための色である。
【００２９】
ここでは、主要色補助色指定部３０により主要色としてＣＭＹＫが指定され、補助色としてＲＧＢが指定されているものとする。
【００３０】
したがって、色分解部２８から、主要色カラー画像データＣＭＹＫと、補助色カラー画像データＲＧＢが出力される。
【００３１】
次に、主要色に対しては、粒状性が目立たないように画像に周期成分を有するＡＭスクリーン部３２での階調数ｎ＝２でのスクリーン処理を行い、補助色に対しては、画像に周期成分を有しないＦＭスクリーン部３４での階調数ｎ＝２でのスクリーン処理を行う。
【００３２】
すなわち、ＡＭスクリーン部３２は、主要色カラー画像データＣＭＹＫに対し、網点角度の組合せ（Ｃ，Ｍ，Ｙ，Ｋ）＝（１５，４５，０，７５）で、周期成分を有する第１の階調再現方式により階調数ｎ＝２の各網点カラー画像データＣＭＹＫを作成する。なお、網点カラー画像データＣＭＹＫの作成方法については周知であるので詳述しないが、図示していない閾値マトリクスとカラー画像データの値を比較することで各画素が２値からなる網点カラー画像データＣＭＹＫを作成することができる。この網点カラー画像データＣＭＹＫは、それぞれ直交あるいは斜交する網点セルが規則的に並んだその網点セルを構成する網点の大きさで原稿画像２２の階調が再現される。ＡＭスクリーン部３２は、上述した万線によるスクリーン処理を行うことも可能である。
【００３３】
一方、ＦＭスクリーン部３４は、補助色カラー画像データＲＧＢに対し、画像に周期成分を有しない第２の階調再現方式により階調数ｎ＝２の各ＦＭカラー画像データＲＧＢを作成する。ＦＭスクリーンとしては、周知のように誤差拡散方式あるいは予め各カラー画像データＲＧＢの網％の出力パターン（画像）を閾値マトリクスとして保存した閾値型のものを用いることができる。その他、ブルーノイズマスクを利用する方法、あるいは複数の画素サイズを有する方法等を用いることができる。
【００３４】
重ね合わせ部３６は、コンピュータを有し、たとえばインクジエット方式カラープリンタ、イメージセッタとフィルムプロセッサとオフセット印刷機、あるいはイメージセッタとＣＴＣ（ｃｏｍｐｕｔｅｒ　ｔｏ　ｃｙｌｉｎｄｅｒ）装置またはＣＴＣ（ｃｏｍｐｕｔｅｒ　ｔｏ　ｃｙｌｉｎｄｅｒ）装置等で構成され、第１のｎ値の分版画像である網点カラー画像データＣＭＹＫで表される画像（網点画像）と、第２のｎ値の分版画像であるＦＭカラー画像データＲＧＢで表される画像（ＦＭ画像）を重ね合わせて、原稿画像２２を印刷紙等の媒体上に出力画像である印刷画像３８として再現するとともに、表示装置４０のスクリーン等の媒体上に表示画像４２として再現する。
【００３５】
図５は、図４のカラー画像再現装置２０により再現した印刷画像３８（あるいは表示画像４２）としての重ね合わせパターン（画像）４４を示している。この重ね合わせパターン（画像）４４は、図１の重ね合わせパターン（画像）１２［Ｃ，Ｍ，Ｋ，αの４版の網点角度の組合せ（Ｃ，Ｍ，Ｋ，α）＝（１５，４５，７５，２２．５）］に対応して、理解の便宜のために、α版（αは、Ｒ，Ｇ，Ｂ等のＣ，Ｍ，Ｙ，Ｋ以外の１色）とＣ，Ｍ，Ｋの３版の合計４版の組合せ［網点角度の組合せ（Ｃ，Ｍ，Ｋ＝（１５，４５，７５）＋α版（ＦＭ）］の重ね合わせパターン（画像）を示している。
【００３６】
主要色がＣＭＫであり、補助色がαである、この図５例のＡＭスクリーン方式の分版画像（ＣＭＫの３つの分版画像）とＦＭスクリーン方式の分版画像（αの分版画像）の重ね合わせパターン（画像）４４は、図１例のＡＭスクリーン方式のみの分版画像（ＣＭＫα）の重ね合わせパターン（画像）１２に比較して、ロゼッタパターン（画像）の他の重ね合わせによる干渉縞が見えなく、また、図３に示したＦＭスクリーンのＣＭＫの３つの分版画像の重ね合わせパターン（画像）１６に比較して、粒状性がはるかに向上している、すなわち粒状性が抑制されていることが分かる。
【００３７】
なお、上記の主要色補助色指定部３０において、主要色としてＣＭＹＫを指定した場合に、補助色としてＲＧＢを指定しているが、主要色としてＲＧＢを指定した場合には、補助色としてＣＭＹＫを指定する。この場合、主要色カラー画像データＲＧＢに対し、ＡＭスクリーン部３２で網点カラー画像データＲＧＢを作成し、補助色カラー画像データＣＭＹＫに対し、ＦＭスクリーン部３４でＦＭカラー画像データＣＭＹＫを作成する。
【００３８】
また、色ＣＭＹＫＲＧＢは、一般的に用いられる多色印刷の色であるが、色再現域を広げるための複数の色を選ぶ場合には、上記色には限らない。たとえば、主要色としてＣＭＹＫを指定し、補助色としてピンク色、肌色、金色、銀色等を指定することもできる。
【００３９】
また、インクジェット方式のカラープリンタでは、ＣＭＹＫの４色とライトシアンＬＣ、ライトマゼンタＬＭ、ライトブラックＬＫの７色での印刷が行われる場合がある。インクジエット方式のカラープリンタでは、液滴を十分に小さな大きさにできないため、必要な最高濃度を実現するべた濃度を持った通常のＣＭＹＫの４色のインクと、色相が同様でべた濃度が通常インクよりも低いライトインクＬＣ、ＬＭ、ＬＫを用い、特にハイライト部分の階調再現性、粒状性を向上させている。
【００４０】
このインクジェット方式のカラープリンタを重ね合わせ部３６に用いる場合、図４のかっこ内に示すように、ライトインクＬＣ、ＬＭ、ＬＫに対しては、補助色としてＦＭスクリーン部３４で処理を行い、主要インクＣＭＹＫに対しては、主要色としてＡＭスクリーン部３２で処理を行うようにして画像を再現することが好ましい。
【００４１】
上記の実施の形態においては、階調再現方式としてｎ＝２の２値化の例のみを説明しているが、階調再現方式として、分版（あるいは媒体）上のドット（画素）配置に周期性を持つものと持たないものを併用することが重要であって、ｎ＝３の３値（たとえば、インクジェット方式のプリンタで、同一の色でドットなし、小ドット、大ドットの３値）や４値以上の多値出力可能なプリンタを用いて階調を再現する階調再現方式にも用いることができることはいうまでもない。
【００４２】
このように上述した実施の形態によれば、それぞれ階調数ｍ値を採る少なくとも５つの分版画像（分版数をｐとする。ｐ≧５）、たとえば、ＣＭＹＫの４つの分版画像と他のαの分版画像で構成されるカラー画像を、それぞれｎ値（ｍ，ｎは、ｍ＞ｎ＞１を満たす自然数）を採る分版画像（分版数はｐである。）、この場合、ＣＭＹＫの４つの分版画像と他のαの分版画像で表現し、ｎ値の分版画像を重ねて媒体上に前記カラー画像を印刷画像３８あるいは表示画像４２として再現する方法あるいはカラー画像再現装置２０に適用される。
【００４３】
この場合、ｍ値を採る分版画像中、分版数ｐ（この例では５）より少ない数（ｑ、この例ではｑ＝４。ｐ＞ｑ≧１）の分版画像を、周期成分を有する第１の階調再現方式が用いられた手段であるＡＭスクリーン部３２でｎ値のＣＭＹＫの４つの分版画像（網点カラー画像データＣＭＹＫ）にし、ｍ値を採る分版画像中、分版数ｐ−ｑ（この場合、ｐ−ｑ＝１）の残りのαの分版画像を、周期成分を有しない第２の階調再現方式が用いられた手段（過程）であるＦＭスクリーン部３４でｎ値の分版画像（ＦＭカラー画像データα）にしている。そして、さらに、画像を重ねて媒体（紙あるいは表示装置４０）上にカラー画像（印刷画像３８あるいは表示画像４２）を再現する手段である重ね合わせ部３６において、第１および第２の階調再現方式を用いて得られた分版数ｐのｎ値の分版画像（網点カラー画像データＣＭＹＫで表されるＣＭＹＫの分版画像とＦＭカラー画像データαで表されるαの分版画像）を重ねてカラー画像（印刷画像３８あるいは表示画像４２）を再現している。
【００４４】
このため、再現されたカラー画像（印刷画像３８あるいは表示画像４２）上に発生する干渉縞あるいは粒状性を抑制することができる。
【００４５】
なお、この発明は、上述の実施の形態に限らず、この発明の要旨を逸脱することなく、種々の構成を採り得ることはもちろんである。
【００４６】
【発明の効果】
以上説明したように、この発明によれば、５つ以上の分版画像を重ねて媒体上にカラー画像を再現した場合に、再現されたカラー画像上に発生する干渉縞あるいは粒状性を抑制することができる。
【図面の簡単な説明】
【図１】ＡＭスクリーンによるＣＭＫαの４分版画像の重ね合わせパターン（画像）を示す図である。
【図２】ＡＭスクリーンによるＣＭＫの３分版画像の重ね合わせパターン（画像）を示す図である。
【図３】ＦＭスクリーンによるＣＭＫの３分版画像の重ね合わせパターン（画像）を示す図である。
【図４】この発明の実施の形態のカラー画像再現装置の構成図である。
【図５】ＡＭスクリーンによるＣＭＫの３分版画像とＦＭスクリーンによるα版の分版画像の重ね合わせパターン（画像）を示す図である。
【符号の説明】
１２、１４、１６、４４…重ね合わせパターン（画像）
２０…カラー画像再現装置　　　　　　　２２…原稿画像
２４…スキャナ　　　　　　　　　　　　２６…外部入力端子
２８…色分解部　　　　　　　　　　　　３０…主要色補助色指定部
３２…ＡＭスクリーン部　　　　　　　　３４…ＦＭスクリーン部
３６…重ね合わせ部　　　　　　　　　　３８…印刷画像
４０…表示装置　　　　　　　　　　　　４２…表示画像
【図１】
2004058390.tif 000003
【図２】
2004058390.tif 000004
【図３】
2004058390.tif 000005
【図４】
2004058390.tif 000006
【図５】
2004058390.tif 000007